【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
ユーザ装置（Ｕｓｅｒ  Ｅｑｕｉｐｍｅｎｔ）の受信方法において、
基地局（ｅＮＢ；ｅｖｏｌｖｅｄ  Ｎｏｄｅ  Ｂ）からＰＤＣＣＨ（Ｐｈｙｓｉｃａｌ  Ｄｏｗｎｌｉｎｋ  Ｃｏｎｔｒｏｌ  ＣＨａｎｎｅｌ）を受信する段階；
ＳＰＳ  Ｃ−ＲＮＴＩ（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＣＲＣ（Ｃｙｃｌｉｃ  Ｒｅｄｕｎｄａｎｃｙ  Ｃｈｅｃｋ）がスクランブリング（ｓｃｒａｍｂｌｉｎｇ）された前記ＰＤＣＣＨをデコードするように設定されたか否かを判断する段階と；
前記ＳＰＳ  Ｃ−ＲＮＴＩを利用してＣＲＣがスクランブリングされた前記ＰＤＣＣＨをデコードするように設定されたら、前記ＰＤＣＣＨの共用（Ｃｏｍｍｏｎ）検索空間（ｓｅａｒｃｈ  ｓｐａｃｅ）及びユーザ装置特定（ＵＥ  ｓｐｅｃｉｆｉｃ）検索空間をすべて含む検索空間でＤＣＩ（Ｄｏｗｎｌｉｎｋ  Ｃｏｎｔｒｏｌ  Ｉｎｆｏｒｍａｔｉｏｎ）フォーマット１ＡのＤＣＩが発見されるか否かを判断する段階と；
前記ＳＰＳ  Ｃ−ＲＮＴＩを利用してＣＲＣがスクランブリングされた前記ＰＤＣＣＨをデコードするように設定され、前記ＰＤＣＣＨの共用検索空間及びユーザ装置特定検索空間をすべて含む検索空間でＤＣＩフォーマット１ＡのＤＣＩが発見されれば、前記ＤＣＩフォーマット１ＡのＤＣＩによって単一ポート伝送スキーム（ｓｃｈｅｍｅ）で前記ＰＤＣＣＨに相当するＰＤＳＣＨ（Ｐｈｙｓｉｃａｌ  Ｄｏｗｎｌｉｎｋ  Ｓｈａｒｅｄ  Ｃｈａｎｎｅｌ）を受信する段階と；を含む受信方法。
【請求項２】
前記ＳＰＳ  Ｃ−ＲＮＴＩを利用してＣＲＣがスクランブリングされた前記ＰＤＣＣＨをデコードするように設定されたら、前記ＰＤＣＣＨのユーザ装置特定検索空間で特定ＤＣＩフォーマットのＤＣＩが発見されるか否かを判断する段階−ここで、前記特定ＤＣＩフォーマットは、不活性化された（ｄｉｓａｂｌｅｄ）伝送ブロック（ｔｒａｎｓｐｏｒｔ  ｂｌｏｃｋ）のＮＤＩ（Ｎｅｗ  Ｄａｔａ  Ｉｎｄｉｃａｔｏｒ）が受信ポートを指示する；及び
前記ＳＰＳ  Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩの不活性化された伝送ブロックのＮＤＩによって指示される受信ポートで前記特定ＤＣＩフォーマットのＤＣＩによって単一ポート伝送スキームで前記ＰＤＣＣＨに相当するＰＤＳＣＨを受信する段階をさらに含むことを特徴とする請求項１に記載の受信方法。
【請求項３】
Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＣＲＣがスクランブリングされた前記ＰＤＣＣＨをデコードするように設定されたか否かを判断する段階と；
前記Ｃ−ＲＮＴＩを利用してＣＲＣがスクランブリングされた前記ＰＤＣＣＨをデコードするように設定されたら、前記ＰＤＣＣＨのユーザ装置特定検索空間で前記特定ＤＣＩフォーマットのＤＣＩが発見されるか否かを判断する段階と；をさらに含み、
前記Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩの不活性化された伝送ブロックのＮＤＩによって決定される受信ポートで前記特定ＤＣＩフォーマットのＤＣＩによる単一ポート伝送スキームで前記ＰＤＣＣＨに相当するＰＤＳＣＨを受信する段階；または
前記Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩによるデュアル階層伝送スキームで前記ＰＤＣＣＨに相当するＰＤＳＣＨを受信する段階；をさらに含むことを特徴とする請求項２に記載の受信方法。
【請求項４】
前記Ｃ−ＲＮＴＩを利用してＣＲＣがスクランブリングされた前記ＰＤＣＣＨをデコードするように設定されたら、前記ＰＤＣＣＨの共用検索空間及びユーザ装置特定検索空間をすべて含む検索空間でＤＣＩフォーマット１ＡのＤＣＩが発見されるか否かを判断する段階と；
前記Ｃ−ＲＮＴＩを利用してＣＲＣがスクランブリングされた前記ＰＤＣＣＨをデコードするように設定され、前記ＰＤＣＣＨの共用検索空間及びユーザ装置特定検索空間をすべて含む検索空間でＤＣＩフォーマット１ＡのＤＣＩが発見されれば、前記ＤＣＩフォーマット１ＡのＤＣＩによって伝送ダイバシティ（ｔｒａｎｓｍｉｔ  ｄｉｖｅｒｓｉｔｙ）伝送スキームで前記ＰＤＣＣＨに相当するＰＤＳＣＨを受信する段階と；をさらに含むことを特徴とする請求項３に記載の受信方法。
【請求項５】
ユーザ装置（Ｕｓｅｒ  Ｅｑｕｉｐｍｅｎｔ）において、
基地局（ｅＮＢ；ｅｖｏｌｖｅｄ  Ｎｏｄｅ  Ｂ）からＰＤＣＣＨ（Ｐｈｙｓｉｃａｌ  Ｄｏｗｎｌｉｎｋ  Ｃｏｎｔｒｏｌ  ＣＨａｎｎｅｌ）を受信し；
ＳＰＳ  Ｃ−ＲＮＴＩ（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＣＲＣ（Ｃｙｃｌｉｃ  Ｒｅｄｕｎｄａｎｃｙ  Ｃｈｅｃｋ）がスクランブリング（ｓｃｒａｍｂｌｉｎｇ）された前記ＰＤＣＣＨをデコードするように設定されたか否かを判断し；
前記ＳＰＳ  Ｃ−ＲＮＴＩを利用してＣＲＣがスクランブリングされた前記ＰＤＣＣＨをデコードするように設定されたら、前記ＰＤＣＣＨの共用（Ｃｏｍｍｏｎ）検索空間（ｓｅａｒｃｈ  ｓｐａｃｅ）及びユーザ装置特定（ＵＥ  ｓｐｅｃｉｆｉｃ）検索空間をすべて含む検索空間でＤＣＩ（Ｄｏｗｎｌｉｎｋ  Ｃｏｎｔｒｏｌ  Ｉｎｆｏｒｍａｔｉｏｎ）フォーマット１ＡのＤＣＩが発見されるか否かを判断し；
前記ＳＰＳ  Ｃ−ＲＮＴＩを利用してＣＲＣがスクランブリングされた前記ＰＤＣＣＨをデコードするように設定され、前記ＰＤＣＣＨの共用検索空間及びユーザ装置特定検索空間をすべて含む検索空間でＤＣＩフォーマット１ＡのＤＣＩが発見されれば、前記ＤＣＩフォーマット１ＡのＤＣＩによって単一ポート伝送スキーム（ｓｃｈｅｍｅ）で前記ＰＤＣＣＨに相当するＰＤＳＣＨ（Ｐｈｙｓｉｃａｌ  Ｄｏｗｎｌｉｎｋ  Ｓｈａｒｅｄ  Ｃｈａｎｎｅｌ）を受信する；
制御部を含むユーザ装置。
【請求項６】
前記制御部は、
前記ＳＰＳ  Ｃ−ＲＮＴＩを利用してＣＲＣがスクランブリングされた前記ＰＤＣＣＨをデコードするように設定されたら、前記ＰＤＣＣＨのユーザ装置特定検索空間で特定ＤＣＩフォーマットのＤＣＩが発見されるか否かを判断し−ここで、前記特定ＤＣＩフォーマットは、不活性化された（ｄｉｓａｂｌｅｄ）伝送ブロック（ｔｒａｎｓｐｏｒｔ  ｂｌｏｃｋ）のＮＤＩ（Ｎｅｗ  Ｄａｔａ  Ｉｎｄｉｃａｔｏｒ）が受信ポートを指示する；
前記ＳＰＳ  Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩの不活性化された伝送ブロックのＮＤＩによって指示される受信ポートで前記特定ＤＣＩフォーマットのＤＣＩによって単一ポート伝送スキームで前記ＰＤＣＣＨに相当するＰＤＳＣＨを受信することを特徴とすることを特徴とする請求項５に記載のユーザ装置。
【請求項７】
前記制御部は、
Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＣＲＣがスクランブリングされた前記ＰＤＣＣＨをデコードするように設定されたか否かを判断し；
前記Ｃ−ＲＮＴＩを利用してＣＲＣがスクランブリングされた前記ＰＤＣＣＨをデコードするように設定されたら、前記ＰＤＣＣＨのユーザ装置特定検索空間で前記特定ＤＣＩフォーマットのＤＣＩが発見されるか否かを判断し、
前記制御部は、
前記Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩの不活性化された伝送ブロックのＮＤＩによって決定される受信ポートで前記特定ＤＣＩフォーマットのＤＣＩによる単一ポート伝送スキームで前記ＰＤＣＣＨに相当するＰＤＳＣＨを受信するか；または
前記Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩによるデュアル階層伝送スキームで前記ＰＤＣＣＨに相当するＰＤＳＣＨを受信することを特徴とする請求項６に記載のユーザ端末。
【請求項８】
前記制御部は、
前記Ｃ−ＲＮＴＩを利用してＣＲＣがスクランブリングされた前記ＰＤＣＣＨをデコードするように設定されたら、前記ＰＤＣＣＨの共用検索空間及びユーザ装置特定検索空間をすべて含む検索空間でＤＣＩフォーマット１ＡのＤＣＩが発見されるか否かを判断し；
前記Ｃ−ＲＮＴＩを利用してＣＲＣがスクランブリングされた前記ＰＤＣＣＨをデコードするように設定され、前記ＰＤＣＣＨの共用検索空間及びユーザ装置特定検索空間をすべて含む検索空間でＤＣＩフォーマット１ＡのＤＣＩが発見されれば、前記ＤＣＩフォーマット１ＡのＤＣＩによって伝送ダイバシティ（ｔｒａｎｓｍｉｔ  ｄｉｖｅｒｓｉｔｙ）伝送スキームで前記ＰＤＣＣＨに相当するＰＤＳＣＨを受信することを特徴とする請求項７に記載のユーザ端末。
【請求項９】
基地局（ｅＮＢ；ｅｖｏｌｖｅｄ  Ｎｏｄｅ  Ｂ）の伝送方法において、
第１のユーザ装置（ＵＥ；Ｕｓｅｒ  Ｅｑｕｉｐｍｅｎｔ）のＳＰＳ  Ｃ−ＲＮＴＩ（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＤＣＩ（Ｄｏｗｎｌｉｎｋ  Ｃｏｎｔｒｏｌ  Ｉｎｆｏｒｍａｔｉｏｎ）フォーマット１Ａの第１のＤＣＩのＣＲＣ（ＣｙｃｌｉｃＲｅｄｕｎｄａｎｃｙ  Ｃｈｅｃｋ）をスクランブリング（ｓｃｒａｍｂｌｉｎｇ）する段階と；
ＰＤＣＣＨ（Ｐｈｙｓｉｃａｌ  Ｄｏｗｎｌｉｎｋ  Ｃｏｎｔｒｏｌ  ＣＨａｎｎｅｌ）の共用（Ｃｏｍｍｏｎ）検索空間（ｓｅａｒｃｈ  ｓｐａｃｅ）及び前記第１のＵＥのユーザ装置特定（ＵＥ  ｓｐｅｃｉｆｉｃ）検索空間をすべて含む検索空間で前記第１のＵＥに前記第１のＤＣＩを送信する段階と；
前記第１のＤＣＩによって単一ポート伝送スキーム（ｓｃｈｅｍｅ）で前記ＰＤＣＣＨに相当するＰＤＳＣＨ（Ｐｈｙｓｉｃａｌ  Ｄｏｗｎｌｉｎｋ  Ｓｈａｒｅｄ  Ｃｈａｎｎｅｌ）を送信する段階と；を含む伝送方法。
【請求項１０】
第２のＵＥのＳＰＳ  Ｃ−ＲＮＴＩを利用して不活性化された（ｄｉｓａｂｌｅｄ）伝送ブロック（ｔｒａｎｓｐｏｒｔ  ｂｌｏｃｋ）のＮＤＩ（Ｎｅｗ  Ｄａｔａ  Ｉｎｄｉｃａｔｏｒ）が受信ポートを指示する特定ＤＣＩフォーマットの第２のＤＣＩのＣＲＣをスクランブリングする段階と；
前記ＰＤＣＣＨの前記第２のＵＥのユーザ装置特定検索空間で前記第２のＵＥに前記第２のＤＣＩを送信する段階と；
前記第２のＤＣＩの不活性化された伝送ブロックのＮＤＩによって指示される受信ポートで前記第２のＤＣＩによって単一ポート伝送スキームで前記ＰＤＣＣＨに相当するＰＤＳＣＨを送信する段階と；をさらに含むことを特徴とする請求項９に記載の伝送方法。
【請求項１１】
第３のＵＥのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用して前記特定ＤＣＩフォーマットの第３のＤＣＩのＣＲＣをスクランブリングする段階と；
前記ＰＤＣＣＨの前記第３のＵＥのユーザ装置特定検索空間で前記第３のＵＥに前記第３のＤＣＩを送信する段階と；をさらに含み、
前記第３のＤＣＩの不活性化された伝送ブロックのＮＤＩによって決定される受信ポートで前記第３のＤＣＩによって単一ポート伝送スキームで前記ＰＤＣＣＨに相当するＰＤＳＣＨを送信する段階；または
前記第３のＤＣＩによってデュアル階層伝送スキームで前記ＰＤＣＣＨに相当するＰＤＳＣＨを送信する段階；をさらに含むことを特徴とする請求項１０に記載の伝送方法。
【請求項１２】
第４のＵＥのＣ−ＲＮＴＩを利用してＤＣＩフォーマット１Ａの第４のＤＣＩのＣＲＣをスクランブリングする段階と；
前記ＰＤＣＣＨの共用検索空間及び前記第４のＵＥのユーザ装置特定検索空間をすべて含む検索空間で前記第４のＵＥに前記第４のＤＣＩを送信する段階と；
前記第４のＤＣＩによって伝送ダイバシティ（ｔｒａｎｓｍｉｔ  ｄｉｖｅｒｓｉｔｙ）伝送スキームで前記ＰＤＣＣＨに相当するＰＤＳＣＨを送信する段階と；をさらに含むことを特徴とする請求項１１に記載の伝送方法。
【請求項１３】
基地局（ｅＮＢ；ｅｖｏｌｖｅｄ  Ｎｏｄｅ  Ｂ）において、
第１のユーザ装置（ＵＥ；Ｕｓｅｒ  Ｅｑｕｉｐｍｅｎｔ）のＳＰＳ  Ｃ−ＲＮＴＩ（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＤＣＩ（Ｄｏｗｎｌｉｎｋ  Ｃｏｎｔｒｏｌ  Ｉｎｆｏｒｍａｔｉｏｎ）フォーマット１Ａの第１のＤＣＩのＣＲＣ（ＣｙｃｌｉｃＲｅｄｕｎｄａｎｃｙ  Ｃｈｅｃｋ）をスクランブリング（ｓｃｒａｍｂｌｉｎｇ）し；
ＰＤＣＣＨ（Ｐｈｙｓｉｃａｌ  Ｄｏｗｎｌｉｎｋ  Ｃｏｎｔｒｏｌ  ＣＨａｎｎｅｌ）の共用（Ｃｏｍｍｏｎ）検索空間（ｓｅａｒｃｈ  ｓｐａｃｅ）及び前記第１のＵＥのユーザ装置特定（ＵＥ  ｓｐｅｃｉｆｉｃ）検索空間をすべて含む検索空間で前記第１のＵＥに前記第１のＤＣＩを送信し、
前記第１のＤＣＩによって単一ポート伝送スキーム（ｓｃｈｅｍｅ）で前記ＰＤＣＣＨに相当するＰＤＳＣＨ（Ｐｈｙｓｉｃａｌ  Ｄｏｗｎｌｉｎｋ  Ｓｈａｒｅｄ  Ｃｈａｎｎｅｌ）を送信する；
制御部を含む基地局。
【請求項１４】
前記制御部は、
第２のＵＥのＳＰＳ  Ｃ−ＲＮＴＩを利用して不活性化された（ｄｉｓａｂｌｅｄ）伝送ブロック（ｔｒａｎｓｐｏｒｔ  ｂｌｏｃｋ）のＮＤＩ（Ｎｅｗ  Ｄａｔａ  Ｉｎｄｉｃａｔｏｒ）が受信ポートを指示する特定ＤＣＩフォーマットの第２のＤＣＩのＣＲＣをスクランブリングし；
前記ＰＤＣＣＨの前記第２のＵＥのユーザ装置特定検索空間で前記第２のＵＥに前記第２のＤＣＩを送信し；
前記第２のＤＣＩの不活性化された伝送ブロックのＮＤＩによって指示される受信ポートで前記第２のＤＣＩによって単一ポート伝送スキームで前記ＰＤＣＣＨに相当するＰＤＳＣＨを送信することを特徴とする請求項１３に記載の基地局。
【請求項１５】
前記制御部は、
第３のＵＥのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用して前記特定ＤＣＩフォーマットの第３のＤＣＩのＣＲＣをスクランブリングし、
前記ＰＤＣＣＨの前記第３のＵＥのユーザ装置特定検索空間で前記第３のＵＥに前記第３のＤＣＩを送信し、
前記制御部は、
前記第３のＤＣＩの不活性化された伝送ブロックのＮＤＩによって決定される受信ポートで前記第３のＤＣＩによって単一ポート伝送スキームで前記ＰＤＣＣＨに相当するＰＤＳＣＨを送信するか；または
前記第３のＤＣＩによってデュアル階層伝送スキームで前記ＰＤＣＣＨに相当するＰＤＳＣＨを送信することを特徴とすることを特徴とする請求項１４に記載の基地局。